(57)【特許請求の範囲】
【請求項１】
第１のディジタルビデオ装置と第２のディジタルビデオ装置とを有するディジタルビデオ装置であって、前記第１のディジタルビデオ装置は、入力されるアナログ映像音声信号を第１のディジタル映像音声信号に変換する第１のアナログディジタル変換手段と、前記第１のディジタル映像音声信号を圧縮し第１のディジタル映像音声圧縮情報に変換する第１のディジタル信号圧縮手段と、前記アナログ映像音声信号を第２のディジタル映像音声信号に変換する第２のアナログディジタル変換手段と、前記第２のディジタル映像音声信号を圧縮し第２のディジタル映像音声圧縮情報に変換する第２のディジタル信号圧縮手段と、前記第１のディジタル映像音声圧縮情報と前記第２のディジタル映像音声圧縮情報とが格納される記憶手段と、前記第１のディジタル映像音声圧縮情報を伸長し出力する第１のディジタル信号伸長手段と、前記第１のディジタル信号伸長手段の出力を受け表示装置の描画を行う第１の画面描画処理手段と、前記第２のディジタル映像音声圧縮情報をメモリカードに書き込むメモリカード読み書き手段と、を備え、前記第２のディジタルビデオ装置は、前記メモリカードから前記第２のディジタル映像音声圧縮情報を読み出すメモリカード読み書き手段と、前記第２のディジタル映像音声圧縮情報を伸長し出力する第２のディジタル信号伸長手段と、表示パネルと、前記第２のディジタル信号伸長手段の出力を受け前記表示パネルの描画を行う第２の画面描画処理手段と、を備えることを特徴とするディジタルビデオ装置。
【請求項２】
前記第１のディジタルビデオ装置は、番組録画を行うとき、前記第１のディジタル映像音声圧縮情報と前記第２のディジタル映像音声圧縮情報とを同時に前記記憶手段に格納することを特徴とする請求項１記載のディジタルビデオ装置。
【請求項３】
前記第１のディジタルビデオ装置及び前記第２のディジタルビデオ装置は、それぞれ、互いの情報を送受する通信手段を備えることを特徴とする請求項１記載のディジタルビデオ装置。
【請求項４】
前記第２のディジタルビデオ装置は、前記通信手段を介し前記第１のディジタルビデオ装置の番組録画、再生及び前記メモリカードへの情報書き込みを制御する番組録画再生移動処理手段を備えることを特徴とする請求項３記載のディジタルビデオ装置。
【請求項５】
前記第１のディジタルビデオ装置及び前記第２のディジタルビデオ装置は、それぞれ、前記通信手段を介し互いの番組予約情報の整合を行う番組予約情報整合処理手段を備えることを特徴とする請求項３記載のディジタルビデオ装置。
【請求項６】
前記第２のディジタルビデオ装置は、フォント情報と、前記通信手段を介し前記第１のディジタルビデオ装置にビデオ操作画面上に表示する指定画像部品の描画を依頼する指定画像部品描画依頼処理手段と、前記指定画像部品が前記記憶手段に格納されていないとき前記フォント情報を使用し前記指定画像部品を作成し前記通信手段を介し前記第１のディジタルビデオ装置に送る指定画像部品作成処理手段と、を備え、前記第１のディジタルビデオ装置は、前記依頼を受け前記指定画像部品が前記記憶手段に格納されているか否かを確認し、格納されていないとき前記通信手段を介して前記指定画像部品作成処理手段に伝える指定画像部品有無確認処理手段と、前記指定画像部品作成処理手段から送られる前記指定画像部品を前記記憶手段に格納する指定画像部品格納処理手段と、を備えることを特徴とする請求項３記載のディジタルビデオ装置。
【請求項７】
入力されるアナログ映像音声信号を第１のディジタル映像音声信号に変換する第１のアナログディジタル変換手段と、前記第１のディジタル映像音声信号を圧縮し第１のディジタル映像音声圧縮情報に変換する第１のディジタル信号圧縮手段と、前記アナログ映像音声信号を第２のディジタル映像音声信号に変換する第２のアナログディジタル変換手段と、前記第２のディジタル映像音声信号を圧縮し第２のディジタル映像音声圧縮情報に変換する第２のディジタル信号圧縮手段と、前記第１のディジタル映像音声圧縮情報と前記第２のディジタル映像音声圧縮情報とが格納される記憶手段と、前記第１のディジタル映像音声圧縮情報を伸長し出力する第１のディジタル信号伸長手段と、前記第１のディジタル信号伸長手段の出力を受け表示装置の描画を行う第１の画面描画処理手段と、前記第２のディジタル映像音声圧縮情報をメモリカードに書き込むメモリカード読み書き手段と、を備えることを特徴とするディジタルビデオ装置。
【発明の詳細な説明】
【０００１】
【発明の属する技術分野】
本発明は、ディジタルビデオ装置に関し、特に、据置型ディジタルビデオ装置と携帯型ディジタルビデオ装置とが連携するディジタルビデオ装置に関する。
【０００２】
【従来の技術】
従来、据置型ディジタルビデオ装置と携帯型ディジタルビデオ装置とが連携し、据置型ディジタルビデオ装置で録画された番組をメモリカードを介し携帯型ディジタルビデオ装置でも再生可能としたディジタルビデオ装置の一例として、図９に示す構成が知られている。図９に示すように、従来例のディジタルビデオ装置における据置型ディジタルビデオ装置１００は、地上波放送を受信する地上波受信機１０１からのアナログ映像音声信号と衛星放送を受信する衛星放送受信機１０２からのアナログ映像音声信号と外部装置からのアナログ映像音声信号とが入力セレクタ１０３により選択され、選択されたアナログ映像音声信号がＡ／Ｄコンバータ１０４によりディジタル映像音声信号に変換され、さらにＭＰＥＧ２エンコーダ１０５により圧縮された後、ＭＰＥＧ２デコーダ１０７により伸長され、画面描画処理手段１０６とＤ／Ａコンバータ１０８とにより信号変換され、表示装置２に描画が行われたり、マイクロコンピュータ１０９の制御用バス１１６、ＩＥＥＥ１３９４インタフェース１１０、ＩＥＥＥ１３９４バス１１７及びＩＥＥＥ１３９４インタフェース１１１を介して円盤型記憶手段１１２に格納されたりするようになっており、さらにＩＥＥＥ１３９４バス１１７には外部ディジタル装置も接続することができ、リモコン送信機３による遠隔操作を行うためのリモコン受信機１１３と、文字表示のためのフォント情報１１４と、メモリカード６００に情報を読み書きするためのメモリカード読み書き手段１１５とが備えられている。一方、携帯型ディジタルビデオ装置５００は、マイクロコンピュータ５０２の制御用バス５１０に接続されたメモリカード読み書き手段５０１により、据置型ディジタルビデオ装置１００とメモリカード６００を介して情報の交換を行うようになっており、さらにＲＡＭ５０３と、ＭＰＥＧ２デコード処理手段７０１が格納されたＲＯＭ５０４と、液晶表示パネル５０７の表示制御を行う画面描画処理手段５０５と、タッチパネル５０８の入力制御を行うタッチパネル制御手段５０６と、インターネット５に接続するためのインターネット接続手段５０９とが備えられている。
【０００３】
図１０は、図９に示した従来例のディジタルビデオ装置における据置型ディジタルビデオ装置１００と携帯型ディジタルビデオ装置５００とが備える処理手段の構成を示している。据置型ディジタルビデオ装置１００において、先ず番組録画のときは、番組録画再生移動処理手段１３０からの録画命令により、ビデオ制御手段１２３は入力セレクタ１０３を切替え、ＭＰＥＧ２エンコーダ１０５からのＭＰＥＧ２番組をＩＥＥＥ１３９４インタフェース処理手段１２１により円盤型記憶手段１１２に格納する。次に番組再生のときは、番組録画再生移動処理手段１３０からの再生命令により、ビデオ制御手段１２３は円盤型記憶手段１１２に格納されている録画済みのＭＰＥＧ２録画番組をＩＥＥＥ１３９４インタフェース処理手段１２１により読み出し、ＭＰＥＧ２デコーダ１０７に転送し、表示装置２に番組再生を行う。次に携帯型ディジタルビデオ装置５００にＭＰＥＧ２録画番組を渡すときは、番組録画再生移動処理手段１３０からの移動命令により、メモリカード読み書き処理手段１２２は円盤型記憶手段１１２に格納されている録画済みのＭＰＥＧ２録画番組をＩＥＥＥ１３９４インタフェース処理手段１２１により読み出し、メモリカード読み書き手段１１５を介してメモリカード６００にＭＰＥＧ２録画番組６０１として書きこむ。上述した番組録画再生移動処理動作は、番組関連情報管理処理手段１２８に含まれる番組予約情報整合処理手段１２９からの予約情報による番組予約情報実行処理手段１２７からの命令によっても実行される。さらに、番組予約情報整合処理手段１２９は、番組関連情報である番組予約時間、番組タイトル及び番組内容を携帯型ディジタルビデオ装置５００と情報交換し整合させるためメモリカード読み書き処理手段１２２によりメモリカード読み書き手段１１５を介してメモリカード６００に番組関連情報６０２として書きこむ。一方、携帯型ディジタルビデオ装置５００において、ＭＰＥＧ２デコード処理手段７０１はメモリカード読み書き処理手段７０２によりメモリカード読み書き手段５０１を介してメモリカード６００のＭＰＥＧ２録画番組６０１を読み取り、そのディジタル映像音声圧縮情報を伸長し、画面描画処理手段５０５により液晶表示パネル５０７に番組再生を行う。さらに、番組関連情報管理処理手段７０３に含まれる番組予約情報整合処理手段７０４はメモリカード読み書き処理手段７０２によりメモリカード読み書き手段５０１を介してメモリカード６００の番組関連情報６０２を読み取る。また逆に、携帯型ディジタルビデオ装置５００から据置型ディジタルビデオ装置１００へ番組関連情報を送る場合も同様に行われる。操作画面管理処理手段１３１は操作者とのマンマシンインタフェースのために必要とされる表示装置２上の操作画面を構築するために必要な番組関連情報を番組関連情報管理処理手段１２８からもらう。この番組関連情報の編集は操作画面管理処理手段１３１で行い、編集後の番組関連情報を番組関連情報管理処理手段１２８に戻す。操作画面管理処理手段１３１は、操作入力処理手段１２６の指示で決定した番組情報の録画、再生、移動（メモリカード書き込み）の命令を番組録画再生移動処理手段１３０に送る。１画面における操作画面は、いくつかの指定画像部品を配置して構成される。例えば、操作ボタンの中心に「決定」の文字列が表示される指定画像部品の場合は、先ず操作画面管理処理手段１３１に含まれる指定画像部品作成処理手段１３２は「決定」の文字列フォントをフォント情報１１４から抽出し、操作ボタン枠のビットマップ情報の中心に抽出した「決定」の文字列フォントを合成し、指定画像部品を完成させ、さらに画面上における指定画像部品の位置情報を加え、指定画像部品画面描画処理手段１２４に送る。指定画像部品画面描画処理手段１２４は画面描画処理手段１０６により操作画面上に指定画像部品を描画する。また、据置型ディジタルビデオ装置１００の操作者は、表示装置２の操作画面を見ながらリモコン送信機３を使用して、メモリカード６００に情報の書き込みなどを行い、この際、リモコン受信機１１３を介しリモコン受信処理手段１２５と操作入力処理手段１２６とにより、操作画面管理処理手段１３１に操作情報が伝達される。
【０００４】
【発明が解決しようとする課題】
しかし、図９に示す従来例のディジタルビデオ装置の構成において、据置型ディジタルビデオ装置１００の情報圧縮手段はＭＰＥＧ２フォーマットであり、ＭＰＥＧ２フォーマットには、ＨＳモード（２８．２Ｍｂｐｓ）、ＳＴＤモード（１４．１Ｍｂｐｓ）、ＬＳ２モード（７Ｍｂｐｓ）、ＬＳ３モード（４．７Ｍｂｐｓ）、ＬＳ５モード（２．８Ｍｂｐｓ）があり、表示装置２が横方向７２０ドット及び縦方向４８０ドットサイズの大画面であるとき、動画再生にはＳＴＤモードが使用されるが、一方、メモリカード６００を記録媒体として携帯型ディジタルビデオ装置５００側で録画番組再生をするため、ＭＰＥＧ２フォーマット中最も転送レートが低く最もデータ量が少ないＬＳ５モードでＭＰＥＧ２録画番組６０１を記録した場合でも転送レートは２．８Ｍｂｐｓであるので、２時間の録画番組を書き込むために必要なメモリカード容量は約３Ｇバイトとなってしまい、現在メモリカード容量は２５６Ｍバイト程度であり、従って２時間の録画番組のうちの約１０分しか記録できないという問題がある。
【０００５】
また、携帯型ディジタルビデオ装置５００における液晶表示パネル５０７の画面解像度は比較的小さく、例えば横方向１６０ドット及び縦方向１２０ドット程度であるので、円盤型記憶手段１１２に格納されたＭＰＥＧ２録画番組を一旦アナログ映像音声信号まで戻し、ＭＰＥＧ２フォーマットに比べ画面解像度が低く転送レートも低いＭＰＥＧ４フォーマットに再圧縮してメモリカード６００に書き込む構成とすると、結局２時間の録画番組に対し同じく２時間の書き込み時間が必要になってしまうという新たな問題が発生する。
【０００６】
さらに、据置型ディジタルビデオ装置１００と携帯型ディジタルビデオ装置５００とで別々に番組予約などの編集が行われるため、番組関連情報６０２については整合処理が必要になり、番組予約などの譲歩の整合を取るために据置型ディジタルビデオ装置１００と携帯型ディジタルビデオ装置５００との間で最低１往復のメモリカード６００のやり取りが必要となり、操作が煩雑になってしまうという問題がある。
【０００７】
また、据置型ディジタルビデオ装置１００のコストを下げるために、フォント情報１１４は操作画面に必要な最低限のフォントのみしか収容していないため、番組関連情報６０２内の番組タイトルや番組内容によっては、フォントがないために画面上に表示できないという問題がある。
【０００８】
本発明は、かかる問題点に鑑みてなされたものであって、据置型ディジタルビデオ装置からメモリカードを媒体として携帯型ディジタルビデオ装置に対し、長時間録画番組を迅速に転送することができ、据置型ディジタルビデオ装置及び携帯型ディジタルビデオ装置が共用する番組関連情報の整合操作を簡素化することができ、低コスト据置型ディジタルビデオ装置であっても必要十分な番組関連情報の画面表示を行うことができるディジタルビデオ装置を提供することを目的とする。
【０００９】
【課題を解決するための手段】
本発明のディジタルビデオ装置は、第１のディジタルビデオ装置と第２のディジタルビデオ装置とを有するディジタルビデオ装置であって、前記第１のディジタルビデオ装置は、入力されるアナログ映像音声信号を第１のディジタル映像音声信号に変換する第１のアナログディジタル変換手段と、前記第１のディジタル映像音声信号を圧縮し第１のディジタル映像音声圧縮情報に変換する第１のディジタル信号圧縮手段と、前記アナログ映像音声信号を第２のディジタル映像音声信号に変換する第２のアナログディジタル変換手段と、前記第２のディジタル映像音声信号を圧縮し第２のディジタル映像音声圧縮情報に変換する第２のディジタル信号圧縮手段と、前記第１のディジタル映像音声圧縮情報と前記第２のディジタル映像音声圧縮情報とを格納する記憶手段と、前記第１のディジタル映像音声圧縮情報を伸長し出力する第１のディジタル信号伸長手段と、前記第１のディジタル信号伸長手段の出力を受け表示装置の描画を行う第１の画面描画処理手段と、前記第２のディジタル映像音声圧縮情報をメモリカードに書き込むメモリカード読み書き手段と、を備え、前記第２のディジタルビデオ装置は、前記メモリカードから前記第２のディジタル映像音声圧縮情報を読み出すメモリカード読み書き手段と、前記第２のディジタル映像音声圧縮情報を伸長し出力する第２のディジタル信号伸長手段と、表示パネルと、前記第２のディジタル信号伸長手段の出力を受け前記表示パネルの描画を行う第２の画面描画処理手段と、を備えることを特徴とする。
【００１０】
また、前記第１のディジタルビデオ装置は、番組録画を行うとき、前記第１のディジタル映像音声圧縮情報と前記第２のディジタル映像音声圧縮情報とを同時に前記記憶手段に格納することを特徴とする。
【００１１】
また、前記第１のディジタルビデオ装置及び前記第２のディジタルビデオ装置は、それぞれ、互いの情報を送受する通信手段を備えることを特徴とする。
【００１２】
また、前記第２のディジタルビデオ装置は、前記通信手段を介し前記第１のディジタルビデオ装置の番組録画、再生及び前記メモリカードへの情報書き込みを制御する番組録画再生移動処理手段を備えることを特徴とする。
【００１３】
また、前記第１のディジタルビデオ装置及び前記第２のディジタルビデオ装置は、それぞれ、前記通信手段を介し互いの番組予約情報の整合を行う番組予約情報整合処理手段を備えることを特徴とする。
【００１４】
また、前記第２のディジタルビデオ装置は、フォント情報と、前記通信手段を介し前記第１のディジタルビデオ装置にビデオ操作画面上に表示する指定画像部品の描画を依頼する指定画像部品描画依頼処理手段と、前記指定画像部品が前記記憶手段に格納されていないとき前記フォント情報を使用し前記指定画像部品を作成し前記通信手段を介し前記第１のディジタルビデオ装置に送る指定画像部品作成処理手段と、を備え、前記第１のディジタルビデオ装置は、前記依頼を受け前記指定画像部品が前記記憶手段に格納されているか否かを確認し、格納されていないとき前記通信手段を介して前記指定画像部品作成処理手段に伝える指定画像部品有無確認処理手段と、前記指定画像部品作成処理手段から送られる前記指定画像部品を前記記憶手段に格納する指定画像部品格納処理手段と、を備えることを特徴とする。
【００１５】
また、本発明のディジタルビデオ装置は、入力されるアナログ映像音声信号を第１のディジタル映像音声信号に変換する第１のアナログディジタル変換手段と、前記第１のディジタル映像音声信号を圧縮し第１のディジタル映像音声圧縮情報に変換する第１のディジタル信号圧縮手段と、前記アナログ映像音声信号を第２のディジタル映像音声信号に変換する第２のアナログディジタル変換手段と、前記第２のディジタル映像音声信号を圧縮し第２のディジタル映像音声圧縮情報に変換する第２のディジタル信号圧縮手段と、前記第１のディジタル映像音声圧縮情報と前記第２のディジタル映像音声圧縮情報とが格納される記憶手段と、前記第１のディジタル映像音声圧縮情報を伸長し出力する第１のディジタル信号伸長手段と、前記第１のディジタル信号伸長手段の出力を受け表示装置の描画を行う第１の画面描画処理手段と、前記第２のディジタル映像音声圧縮情報をメモリカードに書き込むメモリカード読み書き手段と、を備えることを特徴とする。
【００１６】
また、本発明のディジタルビデオ装置は、メモリカードから第２のディジタル映像音声圧縮情報を読み出すメモリカード読み書き手段と、前記第２のディジタル映像音声圧縮情報を伸長し出力する第２のディジタル信号伸長手段と、表示パネルと、前記第２のディジタル信号伸長手段の出力を受け前記表示パネルの描画を行う第２の画面描画処理手段と、他装置と情報を送受する通信手段と、を備えることを特徴とする。
【００１７】
【発明の実施の形態】
次に、本発明の実施の形態を図面を参照して説明する。図１は、本発明の第１の実施の形態のディジタルビデオ装置の構成図である。図１に示すように、本発明の第１の実施の形態のディジタルビデオ装置は、据置型ディジタルビデオ装置１と、表示装置２と、リモコン送信機３と、携帯型ディジタルビデオ装置４と、メモリカード６と、から構成される。
【００１８】
据置型ディジタルビデオ装置１は、地上波受信機１１と、衛星放送受信機１２と、入力セレクタ１３と、Ａ／Ｄコンバータ１４と、ＭＰＥＧ２エンコーダ１５と、画面描画処理手段１６と、ＭＰＥＧ２デコーダ１７と、Ｄ／Ａコンバータ１８と、マイクロコンピュータ１９と、ＩＥＥＥ１３９４インタフェース２０と、ＩＥＥＥ１３９４インタフェース２１と、円盤型記憶手段２２と、リモコン受信機２３と、Ａ／Ｄコンバータ２４と、ＭＰＥＧ４エンコーダ２５と、通信手段２６と、メモリカード読み書き手段２７と、から構成される。
【００１９】
入力セレクタ１３と、ＭＰＥＧ２エンコーダ１５と、画面描画処理手段１６と、ＭＰＥＧ２デコーダ１７と、ＩＥＥＥ１３９４インタフェース２０と、リモコン受信機２３と、ＭＰＥＧ４エンコーダ２５と、通信手段２６と、メモリカード読み書き手段２７とは、それぞれ、マイクロコンピュータ１９の制御用バス２８に接続され、マイクロコンピュータ１９により制御される。
【００２０】
ＩＥＥＥ１３９４インタフェース２０及びＩＥＥＥ１３９４インタフェース２１は、ＩＥＥＥ１３９４バス２９を介して接続される。
【００２１】
携帯型ディジタルビデオ装置４は、通信手段４１と、メモリカード読み書き手段４２と、マイクロコンピュータ４３と、ランダムアクセスメモリ（以下ＲＡＭと称す）４４と、リードオンリメモリ（以下ＲＯＭと称す）４５と、画面描画処理手段４６と、タッチパネル制御手段４７と、液晶表示パネル４８と、タッチパネル４９と、インターネット接続手段５０と、から構成される。
【００２２】
液晶表示パネル４８は、ＥＬ表示パネルに代えることができる。
【００２３】
ＲＯＭ４５は、フラッシュメモリなどの記憶手段であってもよく、文字表示のためのフォント情報５１と、マイクロコンピュータ４３がＭＰＥＧ４デコード処理手段４０１として機能するためのソフトウェアを格納する。
【００２４】
通信手段４１と、メモリカード読み書き手段４２と、ＲＡＭ４４と、ＲＯＭ４５と、画面描画処理手段４６と、タッチパネル制御手段４７と、インターネット接続手段５０とは、それぞれ、マイクロコンピュータ４３の制御用バス５２に接続され、マイクロコンピュータ４３により制御される。
【００２５】
据置型ディジタルビデオ装置１において、地上波受信機１１は、地上波放送を受信し、衛星放送受信機１２は、衛星放送を受信し、それぞれ、アナログ映像音声信号を出力する。
【００２６】
入力セレクタ１３は、地上波受信機１１からのアナログ映像音声信号と、衛星放送受信機１２からのアナログ映像音声信号と、外部装置から入力されるアナログ映像音声信号とを選択し出力する。
【００２７】
アナログディジタル変換手段としてのＡ／Ｄコンバータ１４は、入力セレクタ１３からのアナログ映像音声信号をディジタル映像音声信号に変換し出力する。
【００２８】
ディジタル信号圧縮手段としてのＭＰＥＧ２エンコーダ１５は、Ａ／Ｄコンバータ１４からのディジタル映像音声信号をＭＰＥＧ２フォーマットで圧縮しディジタル映像音声圧縮情報に変換しマイクロコンピュータ１９に出力する。
【００２９】
ディジタル信号伸長手段としてのＭＰＥＧ２デコーダ１７は、マイクロコンピュータ１９からのＭＰＥＧ２フォーマットで圧縮されたディジタル映像音声圧縮情報を伸長し出力する。
【００３０】
画面描画処理手段１６は、ＭＰＥＧ２デコーダ１７の出力を受け、表示装置２のための信号変換を行い、さらにディジタルアナログ変換手段としてのＤ／Ａコンバータ１８によりアナログ信号に変換させて表示装置２に入力させ描画を行う。
【００３１】
アナログディジタル変換手段としてのＡ／Ｄコンバータ２４は、入力セレクタ１３からのアナログ映像音声信号をディジタル映像音声信号に変換し出力する。
【００３２】
ディジタル信号圧縮手段としてのＭＰＥＧ４エンコーダ２５は、Ａ／Ｄコンバータ２４からのディジタル映像音声信号をＭＰＥＧ４フォーマットで圧縮しディジタル映像音声圧縮情報に変換しマイクロコンピュータ１９に出力する。
【００３３】
ＩＥＥＥ１３９４インタフェース２０は、ＭＰＥＧ２又はＭＰＥＧ４フォーマットのデジタル映像音声圧縮情報をＩＥＥＥ１３９４フォーマットに変換し、ＩＥＥＥ１３９４インタフェース２１は、このＩＥＥＥ１３９４フォーマットのデジタル映像音声圧縮情報をビデオディスク装置などの円盤型記憶手段２２のインターファイスに変換し、円盤型記憶手段２２へのデジタル映像音声圧縮情報の読み書き、即ち録画番組の格納と、再生のための録画番組の読み出しを行う。
【００３４】
ＩＥＥＥ１３９４バス２９には、外部装置を接続することができる。
【００３５】
リモコン受信機２３は、リモコン送信機３からの操作信号を受け、マイクロコンピュータ１９に伝える。
【００３６】
通信手段２６と携帯型ディジタルビデオ装置４の通信手段４１とは対向し、マイクロコンピュータ１９と携帯型ディジタルビデオ装置４のマイクロコンピュータ４３との間の無線通信或いは赤外線通信などによる双方向通信を行う。
【００３７】
メモリカード読み書き手段２７は、メモリカード６に対し情報を読み書きする。
【００３８】
携帯型ディジタルビデオ装置４において、メモリカード読み書き手段４２は、メモリカード６に対し情報を読み書きする。
【００３９】
画面描画処理手段４６は、マイクロコンピュータ４３からの情報を受け、液晶表示パネル４８に画面の描画表示を行う。
【００４０】
タッチパネル制御手段４７は、液晶表示パネル４８に重ねられたタッチパネル４９からの操作入力情報をマイクロコンピュータ４３に伝える。
【００４１】
インターネット接続手段５０は、マイクロコンピュータ４３をインターネット５に接続する。
【００４２】
図２は、図１における処理手段の構成図である。据置型ディジタルビデオ装置１のマイクロコンピュータ１９は、通信処理手段１９０と、ＩＥＥＥ１３９４インタフェース処理手段１９１と、メモリカード読み書き処理手段１９２と、ビデオ制御手段１９３と、指定画像部品画面描画処理手段１９４と、リモコン受信処理手段１９５と、番組予約情報整合処理手段１９６と、番組予約情報実行処理手段１９７と、指定画像部品有無確認処理手段１９８と、指定画像部品格納処理手段１９９として機能する。
【００４３】
携帯型ディジタルビデオ装置４のマイクロコンピュータ４３は、ディジタル信号伸長手段としてのＭＰＥＧ４デコード処理手段４０１と、通信処理手段４３１と、番組関連情報管理処理手段４３２と、番組予約情報整合処理手段４３３と、番組録画再生移動処理手段４３４と、操作画面管理処理手段４３５と、指定画像部品描画依頼処理手段４３６と、指定画像部品作成処理手段４３７と、操作入力処理手段４３８と、メモリカード読み書き処理手段４３９として機能する。
【００４４】
また、操作者は、表示装置２の操作画面を見ながらリモコン送信機３を操作し、番組情報の録画、再生、メモリカードへの書き込み（これを移動と称す）を行い、この際、操作入力が、リモコン受信機２３を介しリモコン受信処理手段１９５により、通信処理手段１９０及び４３１により通信手段２６及び４１を介して、操作入力処理手段４３８に送られる。
【００４５】
リモコン送信機３は、矢印キーと決定キーを備え、操作者は、操作画面を構成する指定画像部品である録画、再生、移動操作ボタンを矢印キー操作により選択し、次に、決定キー操作により操作入力決定の指示を行う。
【００４６】
操作画面管理処理手段４３５は、操作入力処理手段４３８の指示で決定した番組情報の録画、再生、移動の命令を番組録画再生移動処理手段４３４に送る。
【００４７】
次に、図３乃至図７を参照し、動作を説明する。
【００４８】
図３は、図２における番組予約情報整合処理動作の説明図である。据置型ディジタルビデオ装置１の番組予約情報整合処理手段１９６と携帯型ディジタルビデオ装置４の番組関連情報管理処理手段４３２に含まれる番組予約情報整合処理手段４３３とは、通信処理手段１９０及び４３１により、通信手段２６及び４１を介して、番組予約情報整合処理手段１９６と番組予約情報整合処理手段４３３とがそれぞれ保有する番組関連情報の一部である番組予約情報の整合を行う。
【００４９】
番組予約情報整合処理手段１９６が保有する番組予約情報は、据置型ディジタルビデオ装置１において入力編集された情報であり、番組予約情報整合処理手段４３３が保有する番組予約情報は、携帯型ディジタルビデオ装置４においてタッチパネル４９から入力されタッチパネル制御手段４７を介して操作入力処理手段４３８に送られ、操作入力処理手段４３８により操作画面管理処理手段４３５に送られ編集され、操作画面管理処理手段４３５から番組関連情報管理処理手段４３２に送られる情報である。
【００５０】
また、据置型ディジタルビデオ装置１の番組予約情報整合処理手段１９６は、番組予約情報の中で新たに発生した番組予約情報或いは削除する番組予約情報を番組予約情報実行処理手段１９７に渡す。
【００５１】
また、携帯型ディジタルビデオ装置４の番組予約情報整合処理手段４３３が保有する番組予約情報は、操作画面管理処理手段４３５でも使用される。
【００５２】
図４は、図２における番組録画処理動作の説明図である。番組録画のときは、リモコン送信機３の録画操作入力が、リモコン受信機２３を介しリモコン受信処理手段１９５により、通信処理手段１９０及び４３１により通信手段２６及び４１を介して、操作入力処理手段４３８に送られる。
【００５３】
操作画面管理処理手段４３５は、操作入力処理手段４３８の指示で決定した録画命令を番組録画再生移動処理手段４３４に送る。
【００５４】
通信処理手段１９０及び４３１により通信手段２６及び４１を介して送られる番組録画再生移動処理手段４３４からの録画命令により、又は番組予約情報実行処理手段１９７からの録画命令により、ビデオ制御手段１９３は入力セレクタ１３を希望ソースに切替え、ＭＰＥＧ２エンコーダ１５からのＭＰＥＧ２フォーマットの録画番組情報と、ＭＰＥＧ４エンコーダ２５からのＭＰＥＧ４フォーマットの録画番組情報とを、同時にＩＥＥＥ１３９４インタフェース処理手段１９１によりＩＥＥＥ１３９４インタフェース２０及び２１を介して円盤型記憶手段２２に格納する。
【００５５】
ＭＰＥＧ２フォーマットの録画番組情報についてはＩＥＥＥ１３９４のアイソクロノス通信のプロトコルであるＡＶプロトコルを使用し、ＭＰＥＧ４フォーマットの録画番組情報についてはアシンクロナス通信のプロトコルであるＳＢＰ２（シリアル・バス・プロトコル２の略）を使用してファイルと解釈して、同時録画が行われる。
【００５６】
さらに、ビデオ制御手段１９３は、ＭＰＥＧ２エンコーダー１５からの録画番組情報をＭＰＥＧ２デコーダ１７に送り、録画番組のモニタ再生を行う。
【００５７】
同様に番組再生のときは、リモコン送信機３の再生操作入力が、リモコン受信機２３を介しリモコン受信処理手段１９５により、通信処理手段１９０及び４３１により通信手段２６及び４１を介して、操作入力処理手段４３８に送られる。
【００５８】
操作画面管理処理手段４３５は、操作入力処理手段４３８の指示で決定した再生命令を番組録画再生移動処理手段４３４に送る。
【００５９】
通信処理手段１９０及び４３１により通信手段２６及び４１を介して送られる番組録画再生移動処理手段４３４からの再生命令により、又は番組予約情報実行処理手段１９７からの再生命令により、ビデオ制御手段１９３は円盤型記憶手段２２に格納されている録画済みのＭＰＥＧ２フォーマットの録画番組情報をＩＥＥＥ１３９４インタフェース処理手段１９１によりＩＥＥＥ１３９４インタフェース２０及び２１を介して読み出し、ＭＰＥＧ２デコーダ１７に転送し、表示装置２に番組再生を行う。
【００６０】
図５は、図２におけるメモリカード書き込み処理動作の説明図である。メモリカード書き込みのときは、リモコン送信機３の移動操作入力が、リモコン受信機２３を介しリモコン受信処理手段１９５により、通信処理手段１９０及び４３１により通信手段２６及び４１を介して、操作入力処理手段４３８に送られる。
【００６１】
操作画面管理処理手段４３５は、操作入力処理手段４３８の指示で決定した移動命令を番組録画再生移動処理手段４３４に送る。
【００６２】
通信処理手段１９０及び４３１により通信手段２６及び４１を介して送られる番組録画再生移動処理手段４３４からの移動命令により、メモリカード読み書き処理手段１９２は円盤型記憶手段２２に格納されている録画済みのＭＰＥＧ４フォーマットの録画番組情報をＩＥＥＥ１３９４インタフェース処理手段１９１によりＩＥＥＥ１３９４インタフェース２０及び２１を介して読み出し、メモリカード読み書き手段２７を介してメモリカード６に書き込む。メモリカード６には、ＭＰＥＧ４録画番組６１、６２及び６３が格納される。
【００６３】
一方、携帯型ディジタルビデオ装置４においてＭＰＥＧ４録画番組６１、６２及び６３を再生するときは、タッチパネル４９からの再生操作入力がタッチパネル制御手段４７を介しＭＰＥＧ４デコード処理手段４０１に送られ、図２に示すように、ＭＰＥＧ４デコード処理手段４０１はメモリカード読み書き処理手段４３９によりメモリカード読み書き手段４２を介してメモリカード６のＭＰＥＧ４録画番組６１、６２及び６３を読み取り、そのディジタル映像音声圧縮情報を伸長し、画面描画処理手段４６により液晶表示パネル４８に番組再生を行う。
【００６４】
図６は、図２における番組録画、再生、移動操作の際の指定画像部品画面描画処理動作の説明図である。操作画面管理処理手段４３５は、操作者とのマンマシンインタフェースのために必要とされる表示装置２上の操作画面を構築するために必要な番組関連情報を番組関連情報管理処理手段４３２から受け取る。
【００６５】
操作画面管理処理手段４３５は、この番組関連情報の編集を行い、編集後の番組関連情報を番組関連情報管理処理手段４３２に戻す。
【００６６】
リモコン送信機３の録画、再生、移動操作入力が、リモコン受信機２３を介しリモコン受信処理手段１９５により、通信処理手段１９０及び４３１により通信手段２６及び４１を介して、操作入力処理手段４３８に送られる。
【００６７】
操作画面管理処理手段４３５は、操作入力処理手段４３８の指示で決定した番組情報の録画、再生、移動の命令を番組録画再生移動処理手段４３４に送る。
【００６８】
１画面における操作画面は、いくつかの指定画像部品を配置して構成される。例えば、操作ボタンの中心に「決定」の文字列が表示される指定画像部品の場合は、操作ボタン枠のビットマップ情報の中心に「決定」の文字列フォントを合成し、指定画像部品を完成させる。
【００６９】
操作画面管理処理手段４３５に含まれる指定画像部品描画依頼処理手段４３６は、通信処理手段１９０及び４３１により通信手段２６及び４１を介して、指定画像部品名と操作画面上の位置情報を添付した描画命令を指定画像部品有無確認処理手段１９８に送る。
【００７０】
指定画像部品有無確認処理手段１９８において指定画像部品が円盤型記憶手段２２に格納されていないことを確認した場合は、指定画像部品有無確認処理手段１９８は、通信処理手段１９０及び４３１により通信手段２６及び４１を介して、指定画像部品作成処理手段４３７に伝え、指定画像部品作成処理手段４３７は、指定画像部品を作成する際に必要なフォントをフォント情報５１から抽出し、指定画像部品を作成し、通信処理手段１９０及び４３１により通信手段２６及び４１を介して、指定画像部品画面描画処理手段１９４と指定画像部品格納処理手段１９９とに送る。そして、指定画像部品有無確認処理手段１９８から指定画像部品画面描画処理手段１９４に描画命令が転送される。
【００７１】
指定画像部品格納処理手段１９９は、ＩＥＥＥ１３９４インタフェース処理手段１９１によりＩＥＥＥ１３９４インタフェース２０及び２１を介して円盤型記憶手段２２へ指定画像部品を格納し、指定画像部品画面描画処理手段１９４は、画面描画処理手段１６を介し、操作画面上の指定位置に指定画像部品を描画する。
【００７２】
図７は、図２における指定画像部品画面描画処理動作のうち、指定画像部品が円盤型記憶手段２２に既に格納されているときの説明図である。指定画像部品描画依頼処理手段４３６は、通信処理手段１９０及び４３１により通信手段２６及び４１を介して、指定画像部品名と操作画面上の位置情報を添付した描画命令を指定画像部品有無確認処理手段１９８に送る。指定画像部品有無確認処理手段１９８で指定画像部品が円盤型記憶手段２２に格納されていることを確認した場合は、指定画像部品画面描画処理手段１９４に描画命令を転送する。
【００７３】
指定画像部品画面描画処理手段１９４は、ＩＥＥＥ１３９４インタフェース処理手段１９１によりＩＥＥＥ１３９４インタフェース２０及び２１を介して、円盤型記憶手段２２から指定画像部品を抽出する。
【００７４】
指定画像部品画面描画処理手段１９４は、画面描画処理手段１６を介し、操作画面上の指定位置に指定画像部品を描画する。
【００７５】
以上説明したように、本発明の第１の実施の形態のディジタルビデオ装置の構成によれば、第１の効果として、アナログ映像音声信号の番組録画と限定し据置型ディジタルビデオ装置１用のＭＰＥＧ２フォーマット番組録画と携帯型ディジタルビデオ装置４用のＭＰＥＧ４フォーマット番組録画とを同時に行うようにしたので、携帯型ディジタルビデオ装置４へ番組を転送したいとき、メモリカード６への僅かな書き込み時間だけで済ませることができ、携帯型ディジタルビデオ装置４で長時間番組を迅速に再生することが可能となる。
【００７６】
また、第２の効果として、据置型ディジタルビデオ装置１と携帯型ディジタルビデオ装置４との間の番組関連情報の整合をメモリカード６によらず通信により行うようにしたので、整合操作を簡素化することができる。
【００７７】
また、第３の効果として、番組関連情報の中で番組タイトルや番組内容に関する情報を据置型ディジタルビデオ装置１は備える必要がなく、据置型ディジタルビデオ装置１の単独動作のときにビデオ操作に必要なフォントのみを備えればよいので、低コスト据置型ディジタルビデオ装置であっても必要十分な番組関連情報の画面表示を行うことができる。
【００７８】
また、第４の効果として、携帯型ディジタルビデオ装置４が据置型ディジタルビデオ装置１に対し一度送付した指定画像部品は円盤型記憶手段２２に格納されるので、再び同じ指定画像部品は携帯型ディジタルビデオ装置４から再送される必要はなく、このため、据置型ディジタルビデオ装置１との通信情報量が減ることで、転送レートの低い通信手段を活用できる。
【００７９】
図８は、本発明の第２の実施の形態のディジタルビデオ装置の構成図である。図８に示すように、本発明の第２の実施の形態のディジタルビデオ装置の構成と、図１に示す本発明の第１の実施の形態のディジタルビデオ装置の構成との相違部分は、マイクロコンピュータ１９がマイクロコンピュータ３３に変更され、マイクロコンピュータ３１とＩＥＥＥ１３９４インタフェース３０とが追加された部分である。これ以外の構成は同じであるため、同一構成部分には同一符号を付し、その説明を省略する。
【００８０】
ＭＰＥＧ４エンコーダ２５と、通信手段２６と、メモリカード読み書き手段２７とのブロックが、マイクロコンピュータ３１の制御用バス３２に接続され、制御用バス３２はＩＥＥＥ１３９４インタフェース３０によりＩＥＥＥ１３９４バス２９にインタフェースされる。
【００８１】
２つのマイクロコンピュータ３１及び３３は、ＩＥＥＥ１３９４バス２９を介して、互いに情報を交換しながら、図１に示すマイクロコンピュータ１９と同じ処理手段として機能する。
【００８２】
従って、本発明の第２の実施の形態のディジタルビデオ装置の構成によれば、本発明の第１の実施の形態のディジタルビデオ装置の構成による効果と同じ効果を有することができる。
【００８３】
【発明の効果】
以上説明したように、本発明による効果は、据置型ディジタルビデオ装置からメモリカードを媒体として携帯型ディジタルビデオ装置に対し、長時間録画番組を迅速に転送することができ、据置型ディジタルビデオ装置及び携帯型ディジタルビデオ装置が共用する番組関連情報の整合操作を簡素化することができ、低コスト据置型ディジタルビデオ装置であっても必要十分な番組関連情報の画面表示を行うことができるディジタルビデオ装置を実現できることである。
【００８４】
【図面の簡単な説明】
【図１】本発明の第１の実施の形態のディジタルビデオ装置の構成図である。
【図２】図１における処理手段の構成図である。
【図３】図２における番組予約情報整合処理動作の説明図である。
【図４】図２における番組録画処理動作の説明図である。
【図５】図２におけるメモリカード書き込み処理動作の説明図である。
【図６】図２における指定画像部品画面描画処理動作の説明図である。
【図７】図２における指定画像部品画面描画処理動作の説明図である。
【図８】本発明の第２の実施の形態のディジタルビデオ装置の構成図である。
【図９】従来例のディジタルビデオ装置の構成図である。
【図１０】図９における処理手段の構成図である。
【符号の説明】
１、１００    据置型ディジタルビデオ装置
２    表示装置
３    リモコン送信機
４、５００    携帯型ディジタルビデオ装置
５    インターネット
６、６００    メモリカード
１１、１０１    地上波受信機
１２、１０２    衛星放送受信機
１３、１０３    入力セレクタ
１４、１０４    Ａ／Ｄコンバータ
１５、１０５    ＭＰＥＧ２エンコーダ
１６、１０６    画面描画処理手段
１７、１０７    ＭＰＥＧ２デコーダ
１８、１０８    Ｄ／Ａコンバータ
１９、１０９    マイクロコンピュータ
２０、１１０    ＩＥＥＥ１３９４インタフェース
２１、１１１    ＩＥＥＥ１３９４インタフェース
２２、１１２    円盤型記憶手段
２３、１１３    リモコン受信機
２４    Ａ／Ｄコンバータ
２５    ＭＰＥＧ４エンコーダ
２６    通信手段
２７、１１５    メモリカード読み書き手段
２８、１１６    制御用バス
２９、１１７    ＩＥＥＥ１３９４バス
３０    ＩＥＥＥ１３９４インタフェース
３１    マイクロコンピュータ
３２    制御用バス
３３    マイクロコンピュータ
４１    通信手段
４２、５０１    メモリカード読み書き手段
４３、５０２    マイクロコンピュータ
４４、５０３    ＲＡＭ
４５、５０４    ＲＯＭ
４６、５０５    画面描画処理手段
４７、５０６    タッチパネル制御手段
４８、５０７    液晶表示パネル
４９、５０８    タッチパネル
５０、５０９    インターネット接続手段
５１    フォント情報
５２、５１０    制御用バス
６１、６２、６３    ＭＰＥＧ４録画番組
１１４    フォント情報
１９０    通信処理手段
１２１、１９１    ＩＥＥＥ１３９４インタフェース処理手段
１２２、１９２    メモリカード読み書き処理手段
１２３、１９３    ビデオ制御手段
１２４、１９４    指定画像部品画面描画処理手段
１２５、１９５    リモコン受信処理手段
１２９、１９６    番組予約情報整合処理手段
１２７、１９７    番組予約情報実行処理手段
１９８    指定画像部品有無確認処理手段
１９９    指定画像部品格納処理手段
４０１    ＭＰＥＧ４デコード処理手段
４３１    通信処理手段
１２８、４３２、７０３    番組関連情報管理処理手段
４３３、７０４    番組予約情報整合処理手段
１３０、４３４    番組録画再生移動処理手段
１３１、４３５    操作画面管理処理手段
４３６    指定画像部品描画依頼処理手段
１３２、４３７    指定画像部品作成処理手段
１２６、４３８    操作入力処理手段
４３９、７０２    メモリカード読み書き処理手段
６０１    ＭＰＥＧ２録画番組
６０２    番組関連情報
７０１    ＭＰＥＧ２デコード処理手段
【図１】
0003594552.tif 000002
【図２】
0003594552.tif 000003
【図３】
0003594552.tif 000004
【図４】
0003594552.tif 000005
【図５】
0003594552.tif 000006
【図６】
0003594552.tif 000007
【図７】
0003594552.tif 000008
【図８】
0003594552.tif 000009
【図９】
0003594552.tif 000010
【図１０】
0003594552.tif 000011